(57)【要約】【目的】可変入賞装置において飛入口に蝶着する開閉扉乃至入賞球の振り分け揺動台を作動する揺動連結手段の支軸を入賞装置本体部に対して容易且つ確実に軸承すること。【構成】可変入賞装置の本体部（１８）には背面部に後方に向って開口する軸受凹部（３５）を該本体部の成形時に一体に形成し、この軸受凹部に揺動連結腕（３１）を支持する支軸（３０）を嵌合する。その一方、中継基板（６１）を装着する基板取付台（６０）に前記軸受凹部（３５）に対応させて前方に向けて支脚（６７）を延設し、その脚端を前記軸受凹部（３５）に当設してこれに嵌合する前記支軸（３０）を押え付けると共に、該脚端を前記背面部にビス等により固定して軸承支持し揺動連結腕の組込みを行うようにする。【選択図】        図１４
2005152294.tif 000002
【特許請求の範囲】
【請求項１】
本体部に設ける入賞室内部に入賞球を振り分ける揺動台を設備し、該揺動台と本体部背面部に備えるソレノイドのプランジャとを揺動連結腕を介して連結し、前記プランジャの伸縮動を前記揺動連結腕により揺動運動に変換して前記揺動台を揺動させ入賞球の振り分けをする可変入賞装置において、前記本体部には背面部に後方に向けて開口する軸受凹部を設け、該軸受凹部に前記揺動連結腕を軸承する支軸を嵌め入れ、且つ該軸受凹部に後方から中継基板を装着する基板取付台の支脚の脚端を当接して開口を閉ざすと共に、該脚端を前記本体部の背面部にねじ止めして前記支軸を固定し、併せて前記基板取付台を前記本体部に固着することを特徴とした可変入賞装置。
【請求項２】
請求項１の記載において、軸受凹部は支軸の端部を受ける一対の凹部から構成し、また支脚の脚端には前記凹部に対応させて一対の突起を設け、本体部背面に該支脚を当接する際前記軸受凹部に嵌め入れ、支軸を固着することを特徴とした可変入賞装置。
【発明の詳細な説明】
【技術分野】
【０００１】
本発明は、ソレノイドによって開閉動する開閉扉を飛入口前面に備えてなるパチンコ機の可変入賞装置に関する。
【背景技術】
【０００２】
飛入口に開閉扉を備えてなる可変入賞装置は、一般に大入賞装置乃至大入賞口と称され、通常の場合遊技盤前面に形成される遊技部の最下部に設置される。
この入賞装置は、上方の遊技部の中央部に設置される可変表示装置と連動する関係に置いて、例えば上記可変表示装置において「当り」が成立したとき、飛入口に備える開閉扉を開放し、短時間に多数の入賞球の飛入を受け入れ、これにより多数個の賞球の放出を行うように設置使用される。
【０００３】
この可変入賞装置は、入賞球を受け入れる入賞室を中心に構成されており、入賞球を受入れる飛入口には開閉扉を蝶着する一方、機種によって異なるが入賞室内部に入賞球を振り分ける揺動台を備えるものも多い。そして、入賞球を計数する検出スイッチを備え、更に上記開閉扉や揺動台を駆動するためのソレノイドを一体に組付けるものとなっている。  従って、多数の部品を組付けることから構造上複雑なものとなっており、また、この入賞装置は遊戯盤上に組入れるに当って他の部品との関係から十分な取付け空間が用意される訳ではないので、装置そのものを小型化することが求められ、これが更に装置の構造を複雑化する要因になっている。
【０００４】
この様なことから、従来から入賞装置本体を複数の部分に分割成形し、部品として個別に成形したものを製造時に取り纏めて組立てると共に、駆動源となるソレノイドや検出スイッチ等の部品類をこれに組付け製造する方法が採られている。
通常、この装置の組立ては入賞室を形成する筺形をなす本体部を中心にして、これに上述の諸種の部品を組付け、完成する手法を採っているが、この本体部及びこの本体部を遊技盤に止め付ける取付基板については合成樹脂を素材に射出成形により個別に成形し、この本体部と取付基板とをビス止めによって結合させており、またこれとは別に上記本体部については入賞室の内部に別に形成する入賞球の振り分け揺動台を組み入れ、また取付基板についは前記入賞室に向って開口する飛入口に開閉扉を蝶着し、それぞれ組付けるようにしている。
【０００５】
この様な本体部の組立てと同時に、この本体部にはソレノイドを固定する取付部を形成し、これを足場に前記開閉扉乃至揺動台を駆動するソレノイドを固定するようにしている。そして、これに併せてソレノイドと開閉扉乃至揺動台とを連動部材を介して連結し、ソレノイドの駆動によって開閉扉乃至揺動台を開閉動させ、或は揺動させられるようにしている。
例えば、この様に入賞装置本体部を複数の部品に分割し、成形してこれらを組立てながら更にソレノイド等の部品を組込んで完成させる例として特開２０００−１２６４１２号公報に記載される入賞装置がある（特許文献１）。
【０００６】
【特許文献１】特開２０００−１２６４１２公報の明細書中「発明の詳細な説明の項」の段落０００９、００１０、及び図面の図３、図４、図６、図７。
【０００７】
上記入賞装置において、本体部と取付基板を組付けるためのビス止めや、本体部に対するソレノイドのビス止めは、相互の位置関係が一定であり固定的であるため比較的容易に組立て結合させることができるが、ソレノイドの駆動力を前記開閉扉や揺動台に伝える連動手段（揺動連結の手段）の組付けはそのもの自体が動くものであることと、複数の部品との組合せを通して行う必要があることから、本体部に対する組付けが一層複雑になっており、簡単な作業ではない。
【０００８】
ことに、ソレノイドの場合プランジャの直進的な伸縮運動を開閉扉や揺動台に対して揺動運動に変換して伝達する必要があることから連動手段（前記特許文献１においては「可動片２３」に相当する。）には揺動のための支点となる支軸を組込む必要があり、そのため前記本体部にはこの支軸を軸承する軸受手段を設備する必要がある。しかし、小型に形成される入賞装置の中で、この軸受けを設備し、更にこれに小型の支軸を軸承させることは極めて困難であり、厄介な作業になっている。
【発明の開示】
【発明が解決しようとする課題】
【０００９】
本発明は、上述従来の問題点、ことに支軸を支点にして揺動する連動手段の入賞装置本体部に対する組込みの困難性に鑑み、これを改善すべく開発されたものであり、その目的とするところは可変入賞装置において、飛入口に設けられる開閉扉、或は入賞室内部に組込まれる入賞球を振り分ける揺動台と、これらを駆動するソレノイドとを連絡し、ソレノイドのプランジャの伸縮運動を揺動運動に変えながら伝達する連動手段、つまり揺動連結手段を揺動自由に支持するところの支軸を、入賞装置本体部に対して容易に、且つ確実に組込めるようにして、製造性を高め、且つ製品精度の高い可変入賞装置を提供しようとするものである。
【課題を解決するための手段】
【００１０】
即ち、本発明は上記課題を解決するため、入賞装置本体部の背面部の適所に後方に向って開放する軸受凹部を形成し、該軸受凹部にソレノイドと開閉扉乃至揺動台との間に介挿する揺動連結手段の支軸を嵌合し、その一方前記本体部の背面部に固定するソレノイドの後方に置かれる中継基板を装着するための基板取付台から延設する支脚を、上記ソレノイドを跨ぐようにして前記本体部背面部に突き出し、その脚端を前記軸受凹部に当接することによって前記支軸を固定し軸承するようにしたことにある。
尚、本発明において上記「中継基板」は入賞装置本体部に設置するソレノイド、検出スイッチ、或は照明用の乃至表示用のランプ等と、パチンコ機本体乃至遊技盤に備えられる遊技制御用の主制御基板とを連絡して相互の信号を中継送信すると共に、電力を供給するための中継基板を指すものとする。
【００１１】
本発明を更に詳述すると、本発明は入賞装置本体部の入賞室内部に設けられる入賞球を振り分ける揺動台、乃至入賞室の飛入口に蝶着される開閉扉と、前記本体部の背面部に取付られるソレノイドとの間に介挿される揺動連結手段を支軸を支点に揺動自由に支持して前記ソレノイドのプランジャの伸縮運動により前記揺動台、乃至開閉扉を揺動し、或は開閉動するようにした可変入賞装置において、前記本体部の背面部に後方に向け開放する軸受凹部を形成し、これに前記支軸を嵌め入れる一方、前記ソレノイドの後方に備える中継基板の基板取付台から延設する支脚を該ソレノイドを跨いで前記本体部の背面部に差し出し、その脚端を前記軸受凹部の開口部に当接して前記支軸を押え軸承すると共に、該脚端を前記本体部にビス止めすることにより基板取付台を本体部に固着組付けるようにした可変入賞装置を提供することにある。
【００１２】
また本発明は、前記軸受凹部についてこれを支軸の両端部を受ける一対の凹部から構成し、また前記基板取付台の支脚は脚端に前記凹部に対応させて一対の突起を設け、本体部の背面部に該支脚を当接する際に前記軸受凹部に該突起を嵌め入れ、支軸を固定することを特徴とした可変入賞装置を提供することにある。
【００１３】
前記軸受凹部は前記入賞装置の本体部を成形する際に一体に形成する。前述したように本発明における本体部も従来同様に合成樹脂を材料に略筺形し、中空の内部を入賞室とするが、この本体部の形成にあたって背面部にはソレノイド、そして中継基板の基板取付台の取付部を形成するのに併せて上記軸受凹部を一体に設けることになる。
【００１４】
更に具体的に説明すれば、この軸受凹部は開閉扉、或は揺動台の位置に併せて設けられる揺動連結手段の設置位置に対応する本体部の背面部に設けることになる。そして、この凹部の開口部を後方に向けて開口する形で形成し、後方から支軸を嵌め込むことで支持できるようにする。
基板取付台に形成する支脚の脚端の当接は、上記軸受凹部から支軸が抜け出るのを防止するためのものであり、この当接状態の確保によって支軸はしっかり凹部内に収められ軸承されることになる。
前記支脚の脚端に形成される突起はこの支軸の固定を確実にして凹部内でのガタ付きを防止するものとなる。
【００１５】
一方、前記中継基板の取付台から延設される複数本の支脚は、本体部の背面部に固定されるソレノイドを越えてこの基板取付台を本体部に固定するためのものであり、本発明ではこの支脚をビス止めすることにより固定するのを利用して前記支軸の固定を図るようにしている。つまり１つの作業を通して支軸の取付を同時に行うようにしているのである。
【発明の効果】
【００１６】
この様に、本発明は入賞装置本体部にこの本体部の成形時に揺動連結手段の支軸を受ける軸受凹部を予め形成しておくことによって軸受手段を組立時に準備し、取付ける必要がなく、しかも揺動連結手段の組立時には単にこの支軸を上記軸受凹部に嵌め入れ、次の基板取付台の取付に併せてその支脚のビス止めによりこの支軸の固定を図ることができることから、狭い作業空間の中でも容易に支軸の組付けを行うことができる利点がある。
【００１７】
しかも、本発明は基板取付台の支脚は、揺動連結手段の小さな支軸に関わることなくその大きさ、具体的には脚端の大きさを選択することが可能であることから、本体部に対するビス止めは比較的に容易であり、従って組立時の作業性に優れると共に、確実な軸承ができる利点がある。
【発明を実施するための最良の形態】
【００１８】
本発明の可変入賞装置の製造に当っては、入賞装置本体部を合成樹脂を材料に筺形に形成する際にその背面部に揺動連結手段を支持する支軸の軸受凹部を後向けに開口するように形成する。一方、中継基板を装着する基板取付台にはその前面側から上記軸受凹部に向けて本体部の背面部に取付られるソレノイドを越えて脚端を当接する支脚を延設する。そして、前記軸受凹部に対して本体部の入賞室の飛入口に蝶着される開閉扉を揺動させるための、或は上記入賞室に備えられる入賞球を振り分ける揺動台を揺動させるための揺動連結腕の支軸をその後方の開口部から差入れ嵌め付ける。
【００１９】
次に、この支軸を受け入れた前記軸受凹部に対し後方から基板取付台の取付けに併せてその支脚の脚端を臨ませ、上記凹部の開口部を塞ぐように当接し、支軸を閉じ込める。この状態で脚端を本体部の背面部にビス止めし、基板取付台の取付けに併せて前記支軸の軸着を完了する。
これにより本体部に対する開閉扉乃至揺動台とソレノイドとを連結する揺動連結腕の組み込みを行い、支軸を軸受部材を用いて固定する従来の方法に代えて容易に且つ的確に軸承することができるのである。
次に、本発明の可変入賞装置を図面に示す実施例について更に詳述し、その特徴とするところを明らかにする。
【実施例】
【００２０】
図面は本発明に係る可変入賞装置の１実施例を示したものである。図１は本発明入賞装置を遊技盤に装着した状態の正面図、図２は拡大正面図、図３は拡大平面図、図４は前方斜め上方から見た斜視図、図５は後方斜め上方から見た斜視図、図６は分解斜視図で、図７、図８は図５の部分の拡大分解斜視図である。
【００２１】
図示する遊技盤１は、前面に打球を誘導する内外のレール２，３を配置し、更にこれらのレールに連続させて半円弧状に飾り枠４を配置して円形状に囲み、遊技盤１の中央部に遊技部５を形成している。上記遊技部５の上部中央部には大型の画面６を有する可変表示装置７を装着し、この可変表示装置７を囲むようにして複数の入賞口８‥と、風車９‥を配置し、障害釘を植設する。そして、前記画面６の直下に始動用入賞口１０を、この始動用入賞口１０の下に本発明に係る可変入賞装置１１を配置している。
【００２２】
上記可変入賞装置１１（以下、単に「入賞装置」と記す。）は、所謂大入賞装置として短時間に多量の入賞球の受け入れを可能にするものであり、図示するように遊技盤１に取付けるための取付基板１２の中央部に飛入口１３を開設し、この飛入口１３に開放時に多くの打球を短時間に受け入れる開閉扉１４を備える。
飛入口１３は横長に開設してあり、開閉扉１４はこの飛入口１３の形状に合せて横長に形成し、下端の両側を支軸１５，１５を介して前記飛入口１３の両側下端に設ける軸受部１６，１６に蝶着し、この支軸１５，１５を支点にして扉の上端を前後に揺動させ、開閉するようにしてある。
【００２３】
前記飛入口１３の内側、即ち取付基板１２の背面側には飛入球を受け入れる入賞室１７を備える筺形に形成される入賞装置本体部１８を組付けている。そして、入賞室１７の内部には入賞球を振り分ける揺動台１９を組み込んでいる。
上記入賞室１７は、飛入口１３に合せて横長に形成してあり、その奥行き幅をパチンコ球が容易に飛入できる幅、具体的にはパチンコ球の直径の２倍を超えない幅を以て形成している。
【００２４】
前記入賞装置の本体部１８は合成樹脂を材料に射出成形により筺形に形成し、中空にした内部を入賞室１７とするもので、この本体部には前記開閉扉１４乃至揺動台１９の駆動源となる２つのソレノイド２０，２１と入賞球の通過を検出する検出スイッチ２２，２３を取付け、開放した底部にはこれを塞ぐブロック状をなす底枠２４を嵌め込み、これにより当該本体部１８を中空の筺形にして前記入賞室１７を形成するようにしている。
上記底枠２４は、本体部１８と同様に合成樹脂を材料に成形するもので、本体部１８に対してその背面板２５から突き出す２本のボス部２６，２６を足場にねじ止めすることで組付けるようにしている。
また、前記揺動台１９についても同様に背面板２５の前面に植設する支軸２７に台の底部に形成する軸受１９ａを通して揺動自由に支持させ、入賞室１７に収められるようにしてある。
【００２５】
前記一方のソレノイド２０は、揺動台１９を揺動させるための駆動源であり、このソレノイド２０は取付金具２８を介して前記本体部１８の背後に横向きに固定される。
このソレノイド２０のプランジャ２９には前記本体部１８に支軸３０を介して軸承されるＬ字形の揺動連結腕３１の一端がピン３２によって連結し、この揺動連結腕３１の他端３１ａが揺動台１９の左端の後部に突き出す突起３３に臨み滑合させてある。
【００２６】
上記揺動連結腕３１の上記他端３１ａは、断面コ字形に形成してあり、この凹部に前記突起３３を緩く嵌合することで連結するようにしてあり、前記ソレノイド２０の励磁によってプランジャ２９がばね３４に抗して後方に引かれたとき、前記支軸３０を支点にして前記他端３１ａを跳ね上げ、突起３３を押し上げて下降している揺動台１９の左端を上昇させられるようにしてある。
【００２７】
前記揺動連結腕３１を支持する支軸３０は、本体部１８に軸承させるに当って本体部１８の背面部に形成する後向きに開口する軸受凹部３５，３５に軸の両端を嵌め入れることで軸承される。そして、これの後方から後述する中継基板の基板取付台に形成する支脚の脚端を当接することで、固定し保持されることになっている。
尚、上記支軸３０の軸承については基板取付台の説明に併せて後述詳細に説明する。
【００２８】
ところで、この揺動連結腕３１は、上記組付けに当って本体部１８に形成する縦の空間３６に収めるようにして前記入賞室１７の背後に接近した状態で配置してあり、この空間内で揺動することにより前記揺動台１９の突起３３を上下に作動させるようにしてある。
【００２９】
図中３７は前記入賞室１７の背面板２５の左端を切り欠いて形成した一般入賞口であり、３８は右端を切り欠いて形成した特別入賞口３８である。これらの入賞口の中間に位置する前記揺動台１９によって振り分けられる入賞球がそれぞれ誘導されるようになっていて、これらの入賞口には前記検出スイッチ２２，２３がそれぞれ装着されることになる。
【００３０】
上記の如く形成された各部は、入賞装置の本体部１８を中心にして組立てが行われる。この組立てにあたっては、上記本体部１８に対して底枠２４を組付けることになるが、その前に各入賞口３７、３８に前方から底部の切欠部分を使って検出スイッチ２２，２３を嵌め付け、その後底枠２４を嵌め付け、ねじ止めして組付けを行うことになる。
その後、支軸２７を介して揺動台１９を入賞室１７に収め、また本体部１８の背面部に突き出す支柱３９を利用して前記取付金具２８を介してソレノイド２０を固定し、次に、揺動連結腕３１を支軸３０を本体部１８の軸受凹部３５に軸承させるのに併せて一方の端部３１ａを前記揺動台１９の突起３３に滑合させ、揺動台１９とこれを駆動するソレノイド２０を中心とした組立を完成させる。
【００３１】
前記取付基板１２は、本体部１８と同様に合成樹脂を材料に射出成形によって単独に形成される。ここではこの基板１２の中央に開設する飛入口１３にその左右両縁の下端に設ける軸受部１６，１６に支軸１５，１５を軸承させることにより開閉扉１４を開閉自由に蝶着するが、他方本体部１８にはこの開閉扉１４を駆動するソレノイド２１を取付金具４０を介して取付けることになる。
【００３２】
上記ソレノイド２１は、ばね４１で前方に付勢されるプランジャ４２を有し、その先端を支軸４３を介して本体部１８の側面に軸着支持する揺動板４４にピン４５により回動自由に連結し、上記プランジャ４２の出入りにより上記揺動板４４の先端（前端）を上下に揺動できるようにする。
【００３３】
前記揺動板４４は、先端を二又にして凹部４６を形成し、この凹部に前記開閉扉１４の右端部から後方に向けて突き出す滑合片４７を受け入れ、連結させる。
この揺動板４４と滑合片４７の連結は、取付基板１２の背面に本体部１８をビス止めして固定されることに併せて行われる。そして、前記ソレノイド２１が失磁状態にあり、ばね４１の付勢でプランジャ４２が伸長状態にあるとき、揺動板４４は先端を下降させ、前記滑合片４７を引き下して開閉扉１４を閉塞することになる。
【００３４】
図中、４８は本体部１８に固定し、前記ソレノイド２１のプランジャ４２とこれに連結する揺動板４４から構成される連動部材４９に対して外部から行われる不正行為を防護するための防護板である。
この防護板４８は、本体部１８の側部において露出する連動部材４９を被い隠せる広さの矩形の板から構成してあり、下端部の内面側には本体部１８に固定するための固定部５０を備える。そして、この固定部５０には前記揺動板４４を支持する支軸４３を受けるための軸受部５１と軸押え５２を一体に備え、本体部１８に対する固定に併せて上記支軸４３を軸着する構造になっている。
【００３５】
図９は、上記防護板４８と本体部１８との取付け関係を具体的に示したものである。合成樹脂を材料に矩形の板として形成する防護板４８には内面側下端部に直角に腕を伸ばして前記固定部５０を一体に設け、これと共に前記防護板４８の内面に前方（図面において左方）に向けて開口するＪ字形の隆起部を形成し、前記支軸４３の一端を受ける軸受部５１を設けている。その一方、前記固定部５０の先端側から台形状の軸押え５２を前方に向けて突き出すように設け、上記支軸４３の他端を受けるようにしている。
【００３６】
一方、入賞装置本体部１８の入賞室１７の側板５３の後端から軸受板５４を延設し、この軸受板５４に並行させて前記特別入賞口３８に連通する入賞球通路５５を本体部１８の後部に設けてこの両者を対向させ、且つ前記軸受板５４の後端部にはＵ字形に切欠く受部５６を、そして前記入賞球通路５５の外側面に上記受部５６と向き合うように図示しないＵ字形の受部を設けて、この２つの受部と前記防護板４８に設ける軸受部５１と軸押え５２とをそれぞれ前後方向に相対向させて両者の挟み付けによる協働によって支軸４３の両端部をそれぞれ支持し軸承するようにしてある。
【００３７】
前記支軸４３による軸承に際しては、先ずこの支軸４３を揺動板４４に穿つ軸受孔４４ａに挿通し、次に支軸４３の一端を前記受部５６に、そして他端を入賞球通路５５の外側面に形成する図示しない受部に嵌め入れ、その後、この両受部の背後を塞ぐように前記防護板４８の固定部５０を添わせ、軸受板５４の受部５６から側方に突き出す支軸４３の一方（外側）の端部を軸受部５１に受け入れ、且つ同時に軸押え５２を図示しない入賞球通路５５に設ける受部に当接して他方（内側）の端部を閉じ込める。
その後、固定部５０に穿つ透孔５７，５７にねじ５８を通してこれを軸受板５４の後端に設けるねじ受け孔５９、及び入賞球通路５５の後端に設ける図示しないねじ受け孔にそれぞれねじ付けて固定し、支軸４３の軸承と防護板４８の取付けを同時に完了させる。
【００３８】
尚、図９には説明のため、ねじ受け孔５９にねじ５８を直接ねじ込んだ姿を示しているが、防護板４８を止め付ける際は、このねじ５８を外し、前述したように透孔５７に通した後ねじ付けて固定部５０を止め付けることになる。
この様にして取付けられた防護板４８は図３乃至図５に示したように連動部材４９を構成するプランジャ４２及び揺動板４４の外側に近接して立ち上り、露出する側面を被い隠すことになる。
【００３９】
ところで、本発明の入賞装置においては、前記入賞装置の本体部１８に対して前述の如くソレノイド２１を含む連動部材４９と防護板４８を組付けたところで、この本体部を前述したように取付基板１２の背面に添わせてビス止めし、組立てることになる。
この組立によって、本体部１８の開放した入賞室１７は前面を塞がれ、横長の空間となり取付基板１２に開設した飛入口１３をその前面の中央に位置させることになる。そして、これから飛入する入賞球を受け入れ、前記揺動台１９に導くことになる。
【００４０】
上記揺動台１９は上記飛入口１３の位置より低く設定してあり、球の飛び込みの妨げにならないようにしてあり、飛入した入賞球は揺動台１９の傾きによって傾き方向に誘導されるようにしてある。尚、入賞球はこの傾きとは関係なく飛入の勢いによって揺動台１９の端部を越えて入賞室１７の両端に開設する前記一般乃至特別入賞口３７，３８に飛入することが可能になっている。
【００４１】
図中６０は、前記本体部１８の背面にソレノイド２０，２１の組付けを完了した後、これらソレノイドを跨いで前記本体部の背面部を足場に装着する中継基板６１を取付けるための基板取付台を示す。
この基板取付台６０は、前記中継基板６１の形状に合わせて横長長方形の板状に形成してあり、その背面には中継基板６１を装着するための基板装着部６２を設けている。この装着部６２は縁部に沿って突条６３を隆設し、この内側に上記中継基板６１を嵌め込むようにして取付けるようにしてある。
【００４２】
この実施例では上記装着部６２の右方の縁に内向きの爪を備えた係止片６４を突設し、またこの片６４に対向して左方の縁に同じく内向きの爪を備えた弾性を有する弾性係止片６５を突設して、前記装着部６２内に中継基板６１を装着する際、その右端を前記係止片６４に掛け止め、次に左端を前記弾性係止片６５に押し付け、弾性を利用して掛け止めて脱落しないようにしてある。
【００４３】
一方、この基板取付台６０の前面には、３本の当接のための支脚６６，６７，６８と、先端に係止爪６９を設けた係止用の支脚７０が設けてある。
上記各支脚は、基板取付台を本体部１８に取付けるための取付手段であり、本体部に対して予め装着される前記ソレノイド２０，２１を超えて本体部の背面部に取り付くことができるように各支脚は所要の長さを以てそれぞれ形成してある。
【００４４】
図１３は、この実施例における前記各支脚６６，６７，６８，７０の配置を示したものである。当接のための支脚６６，６７，６８は基板取付台６０の下縁部に沿って２本が、そして右方の縁の中央部に１本が配置してある。
下縁部の左端に設けられる当接用の支脚６６は脚端に当接片６６ａを備えて固定のための支脚になっており、この当接片６６ａにはビスを通すビス穴７１が設けてある。そして、下縁部の中央部に配置される当接のための支脚６７も同様に脚端にビス穴７１を穿つ当接片６７ａを備えて固定のための支脚としてあり、この支脚の当接片６７ａには連設して左右に間隔を置く一対の押圧用突起７２，７２を設けてある。
【００４５】
上記固定支脚６７は前記本体部１８の背面部に形成する軸受凹部３５に脚端が臨むように予め位置を特定して延設してあり、この脚端に形成される前記押圧用の突起７２，７２は、前記本体部１８の２つの軸受部３５，３５にそれぞれ対応し、脚端を本体部１８の背面部に当接する際この軸受部３５，３５に嵌る前記支軸３０の両端部分を背後から押圧して固定し、この支軸３０をしっかり軸承することになる。
【００４６】
一方、他の当接用の支脚６８は、右方の縁にあって前記係止用の支脚７０に対設させてある。この係止用の支脚７０は帯板状に形成して弾性を付与してあり、内向きに突設する係止爪６９をその弾性を利用して後退させ、本体部背面部に形成する係止部、ここでは取付金具２８に対して掛け止め易くしてある。
【００４７】
上記構成される基板取付台６０は、各支脚をソレノイド２０，２１の背後から隙間を通して差し入れ、固定用の支脚６６，６７を含む各当接用の支脚の先端を本体部背面部の所定位置に当接させ、同時にこの作業に併せて係止用の支脚７０の係止爪６９を取付金具２８に掛け止めることになる。
このうち、支脚６６は脚端の当接片６６ａを本体部１８に設ける受部７３に当接し、ビス穴７１に通すビス７４を上記受部７３に揉み込みこれに固着する（図９参照）一方、他の支脚６７はその当接片６７ａを本体部の受部７５に当接してビス穴７１に通すビス７４をこの受部７５に揉み込んで固着することになる（図１４を参照）。
【００４８】
尚、この実施例では、支脚６８をソレノイド２０を取付ける前記取付金具２８の背面に当接させる一方、係止用支脚７０の係止爪６９を上記取付金具２８の縁の前面側に掛け止めてこの金具の前後の面を挟むようにして取付くようにして取付位置を確保している。図１２は、この関係を説明したものである。
【００４９】
ここで取付金具２８を利用して２つの支脚６８，７０を止め付けるようにしているのは、係止用の支脚７０の爪６９の掛け止めを確実にすることにあるが、取付金具２８を利用せずに直接本体部１８の背面部に当接用の支脚６８を直接当接し、またこの背面部に係止部を設けて前記係止爪６９を直接掛け止めるようにしてもよい。
【００５０】
この様にしてなる基板取付台６０は、従って当接用の支脚６６，６７，６８及び係止用の支脚７０を本体部１８の背面に向って突き出し当接した後、固定のための支脚６６，６７の当接片をビス止めし、併せて係止用の支脚７０の係止爪６９を素材の弾性を利用して掛け止めると、本体部１８に対してソレノイド２０，２１を跨いだ状態で装着することができる。
【００５１】
尚、ここで基板取付台６０を４本の当接乃至係止用の支脚を使って固定する場合につき説明しているが、この場合、各支脚を適宜分散状に配置して取付台を均等に支持するようにすると安定した支持を得ることができる。勿論、支脚を４本としたことは少ない本数によって効率的に支持するためであり、場合によっては３本としても、また５本としてもよい。勿論、この場合においても固定の支脚の１本は前記本体部１８に形成する軸受凹部３５に対応させ、これに軸承される支軸３０を固定するために使用することは言うまでもない。
【００５２】
ところで、当該実施例では固定支脚６６，６７を含む当接支脚を基板取付台６０の下縁部に、そして係止支脚７０を上縁部に設けているが、これによると取付の作業性が良くなる外に、少ない本数の支脚によって堅固な取付を行うことができることになる。特に、ここでは取付台７０に対して上方から負荷が作用したとき、下方の当接支脚が支えとなり、上方の係止支脚７０が引き離しに抗してしつかりした装着を確保することができる。  
また、前記中継基板６１は前述したように主制御基板に接続することに併せて前記ソレノイド２０，２１や検出スイッチ２２，２３等の基板からの配線が集中することから基板自体には回路パターン、抵抗、コネクタ等が一体に設けられることになる。
【００５３】
尚、図中の符号７６，７７は取付基板１２の前面に貼り付ける飾り板であり、７８，７９はこの飾り板の前面に備え入賞ポケット、８０，８１は各入賞ポケットに飛入した入賞球を遊技盤背後の入賞球通路に誘導する樋で、８２，８３は入賞球を検出するため樋８０，８１に組付ける検出スイッチを示す。
【００５４】
上述構成される本発明入賞装置１１は、前述した所謂大入賞口と同様に遊技盤１に配置され、ここでは可変表示装置７に連動して作動するように設定される。つまり、始動用入賞口１０へ打球が飛入し、遊技制御装置（主制御基板）による抽選の結果、可変表示装置７に表示される図柄が「当り」を表示したとき、ソレノイド２１が励磁し、揺動板４４の揺動を介して飛入口１３の開閉扉１４が前方に向けて傾倒し開放して打球の飛入を可能にする。
その一方、これと同時に他方のソレノイド２０が励磁して揺動台１９を左上りに傾け、飛入口１３から飛入するパチンコ球を特別入賞口３８へと優先的に振り向けることが行われる。
【００５５】
上記の状態において飛入した入賞球が前記特別入賞口３８に入り、継続して次なる開放が確定すると、ソレノイド２０が失磁してばね３４の付勢により揺動連結腕３１が前方に揺動し、前記揺動台１９を左下がりに傾けて飛入球を一般入賞口３７に向けて優先的に誘導することになる。
一般入賞口３７に飛入した球は、検出スイッチ２２で通過数をカウントされることになり、ここで所定数、例えば１０個の通過球があったとき扉１４が閉じることになる。そして、前記継続が確保されているとき、再び扉１４が開放すると共に、ソレノイド２０が励磁して揺動台１９を右下がりに傾倒させることになる。そして、継続がないときは閉塞のままとなる。
【００５６】
上記図示の実施例に基づき本発明装置の構成を説明したが、本発明可変入賞装置によれば、入賞装置本体部１８の背面部に後方に向けて開口する軸受凹部３５を予め形成し、この凹部３５に揺動連結腕３１の支軸３０を嵌め入れることで軸承し、且つこの支軸３０を基板取付台６０の取付に当っての支脚６７のビス止めに伴わせて固定し、確実な軸承をなすことができるものであることから極めて容易に、且つ確実に組み込めるものとなっている。
【００５７】
そして、更に前記軸受凹部３５は本体部１８の成形の際に一体に設けることができることから形成が容易であることは勿論、この凹部を正確な位置に設定することができることから支軸３０を設計上の位置に正確に軸承させることができ、従って精度の高い組立を実現させることができる。
ことに、支軸３０によって軸承される揺動連結腕３１は揺動台１９との接続関係を正確にする必要がある上に、ソレノイド２０のプランジャ２９との連結をすることからこれら相互の位置関係の狂いは許されないものとなっており、本発明の支軸の軸承構造はこれを充分満足させるものである。
【００５８】
尚、本実施例では揺動台１９を作動する揺動連結腕３１の支軸３０につき説明したが、開閉扉１４を作動する揺動板４４の支軸４３の軸承についても同様に実施することができる。この場合、上記支軸４３の固定のため使用した防護板４８に代えて基板取付台６０から受部５６に向けて支脚を延設し、その脚端を受部に当接してこれをビスにより固着し、支軸４３の抜出しを止めることになる。
【００５９】
以上の様に、本発明においては揺動連結手段の支軸の軸承と共に、基板取付台の本体部に対する取付も同時に完了するものとなっているため入賞装置の組立ては極めて容易に行え、且つ迅速に、また正確に行えることになる。
【図面の簡単な説明】
【００６０】
【図１】本発明に係る可変入賞装置の使用状態を説明する正面図。
【図２】可変入賞装置の拡大正面図。
【図３】可変入賞装置の拡大平面図。
【図４】可変入賞装置を斜め前方から見た拡大斜面図。
【図５】可変入賞装置を斜め後方から見た拡大斜視図。
【図６】可変入賞装置の分解斜視図。
【図７】図６の振り分け台を作動するソレノイドを中心にした関連部分について拡大して示した斜視図。
【図８】図６の開閉扉を作動するソレノイドを中心にした関連部分について拡大して示した斜視図。
【図９】本体部とソレノイド及び基板取付台の取り付き関係を説明する拡大分解斜視図。
【図１０】本体部からソレノイドと基板取付台を外した状態の拡大分解斜視図。
【図１１】本体部からソレノイドと基板取付台を外した状態の拡大分解斜視図。
【図１２】本体部にソレノイドを取付たのち後方から基板取付台を臨ませる状態を示した分解拡大斜視図。
【図１３】基板取付台の斜め前方から見た斜視図。
【図１４】図２のＡ−Ａ線拡大断面図。
【符号の説明】
【００６１】
１１                本発明に係る可変入賞装置
１２                取付基板
１３                飛入口
１４                開閉扉
１７                入賞室
１８                入賞装置の本体部
１９                揺動台
２０，２１          ソレノイド  
２２，２３          検出スイッチ  
２８，４０          ソレノイドの取付金具
２９，４２          ソレノイドのプランジャ  
３０                揺動連結手段（腕）の支軸
６０                基板取付台
６１                中継基板
６６，６７，６８    当接用の支脚
６６ａ，６７ａ      当接片
６９                係止爪
７０                係止用の支脚
７１                ビス穴    
【図１】
2005152294.tif 000003
【図２】
2005152294.tif 000004
【図３】
2005152294.tif 000005
【図４】
2005152294.tif 000006
【図５】
2005152294.tif 000007
【図６】
2005152294.tif 000008
【図７】
2005152294.tif 000009
【図８】
2005152294.tif 000010
【図９】
2005152294.tif 000011
【図１０】
2005152294.tif 000012
【図１１】
2005152294.tif 000013
【図１２】
2005152294.tif 000014
【図１３】
2005152294.tif 000015
【図１４】
2005152294.tif 000016